(57)【要約】      （修正有）【課題】簡単な構造でヒュージブルリンクをハウジングの所定位置に確実に保持でき、二次短絡を確実に防止できるヒュージブルリンクユニットの提供。【解決手段】ヒュージブルリンク１１を収容するハウジング本体１２と、ハウジング本体に回動自在に一体に取り付けられ、ヒュージブルリンクを挿入されるハウジング本体の開口を閉塞するカバー１３とを有する。カバー１３を閉じた際に、ヒュージブルリンクに当接し、ヒュージブルリンクをハウジング本体内の所定位置に保持する。カバー１３は、閉じた際に、ヒュージブルリンクの端子部１４，１５を支持する支持部３０，３１と、端子部を押圧する弾性片３２とを有する。支持部は、該支持部を支点として回動可能に端子部を支持し、弾性片３２は、ヒュージブルリンクの可溶体１８が溶断して二分されたヒュージブルリンクの分割体を各々支持部を支点として回動せしめ、可溶体の溶断点の間隔が拡がるように押圧する。【選択図】図１
2008066183.tif 000002
【特許請求の範囲】
【請求項１】
一対の端子部及び該一対の端子部を電気的に接続すると共に過電流が流れた際には溶断する可溶体を有するヒュージブルリンクをハウジングに収容したヒュージブルリンクユニットであって、
前記ハウジングが、前記ヒュージブルリンクを収容するハウジング本体と、該ハウジング本体に回動自在に一体に取り付けられて、前記ヒュージブルリンクを挿入される該ハウジング本体の開口を閉塞するカバーと、を有し、
前記カバーが、閉じられた際に、前記ヒュージブルリンクに当接し、該ヒュージブルリンクを前記ハウジング本体内の所定位置に保持することを特徴とするヒュージブルリンクユニット。
【請求項２】
前記カバーが、閉じられた際に、前記端子部を支持する支持部と、前記端子部を押圧する弾性片と、を有していることを特徴とする請求項１に記載されたヒュージブルリンクユニット。
【請求項３】
前記支持部が、該支持部を支点として回動可能に前記端子部を支持しており、
前記弾性片が、前記可溶体が溶断して二分された前記ヒュージブルリンクの分割体をそれぞれ前記支持部を支点として回動せしめ、前記可溶体の溶断点の間隔が拡がるように押圧することを特徴とする請求項２に記載されたヒュージブルリンクユニット。
【発明の詳細な説明】
【技術分野】
【０００１】
本発明は、一対の端子部及び該一対の端子部を電気的に接続すると共に過電流が流れた際には溶断する可溶体を有するヒュージブルリンクをハウジングに収容したヒュージブルリンクユニットに関する。
【背景技術】
【０００２】
ヒュージブルリンクユニットの一例として、図１０に示すものが知られている（特許文献１参照）。図１０に示すように、一対の端子部８１及び一対の端子部８１を電気的に接続する可溶体８２を有するヒュージブルリンク８３がハウジング８４に収容されている。このハウジング８４は、ヒュージブルリンク８３を収容するハウジング本体８５と、ハウジング本体８５の開口を閉塞するカバー８６と、で構成されている。
【０００３】
端子８１にはハウジング本体８５の内面に係合する係止ランス８８が設けられている。係止ランス８８がハウジング本体８５の内面に係合する所定位置までヒュージブルリンク８３がハウジング本体８５内に挿入され、ヒュージブルリンク８３はハウジング８５に保持される。その後、カバー８６がハウジング本体８５に組み付けられる。
【０００４】
端子部８１は不図示の電気回路にそれぞれ接続される。可溶体８２に過電流が流れた際には溶断部８７が発熱して溶断し、一対の端子部８１間の電気的接続が遮断され、端子部８１に接続されている電気回路が保護される。
【０００５】
ここで、溶断した可溶体８２の溶断点の間隔が狭いと、車両の振動や周辺温度の上昇等による熱膨張によって溶断点が再接続してしまう、所謂二次短絡の虞がある。これを解消するために、回路遮断器のように接触部を機械的に開放させるようにしたもの（特許文献２参照）や、可溶体に曲げ強度低下部を設けて溶断後の可溶体を跳ね上げるようにしたもの（特許文献３参照）や、相手側タブ端子との接続時の接触圧力を利用して、可溶体の溶断部が溶断した際に溶断点の間隔を広げるようにしたもの（特許文献４参照）が提案されている。
【０００６】
【特許文献１】特開平９−２０４８７０号公報
【特許文献２】特開２０００−１５６１４２号公報
【特許文献３】特開２００１−３２５８７８号公報
【特許文献４】特開平９−２０４８７２号公報
【発明の開示】
【発明が解決しようとする課題】
【０００７】
ところが、上記特許文献１に開示された従来のヒュージブルリンクユニットにおいては、ハウジング本体８５とカバー８６とが別体とされているため、ハウジング８４の部品点数が多い。また、端子部８１には係止ランス８８が設けられ、これと係合する係合部がハウジング本体８５の内面に設けられる。また、ヒュージブルリンク８３をハウジング本体８５に収容した際に、係止ランス８８とハウジング本体８５の内面との係合が確実になされているか否か、換言すれば、端子部８１が所定位置に配置されているか否かを確認できる構造とする必要がある。そのため、ハウジング８４は複雑な形状となり、その小型化を図り難い。加えて、二次短絡の虞がある。
【０００８】
また、上記特許文献２〜４に開示された技術によれば、二次短絡は防止されるものの、上記特許文献２では接触部を機械的に強制開放させるための構造が複雑である。また、上記特許文献３では可溶体の電流経路が複雑な形状となって溶断特性について制約を受ける虞がある。また、上記特許文献４では溶断点の間隔を広げる構造として端子部に複数の弾性接触部を設ける必要があるために端子部の製造コストが上昇すると共に、小型化を図ることが難しい。
【０００９】
本発明は、上述した事情に鑑みてなされたものであり、その目的は、簡単な構造でヒュージブルリンクをハウジングの所定位置に確実に保持することができると共に、二次短絡を確実に防止することができるヒュージブルリンクユニットを提供することにある。
【課題を解決するための手段】
【００１０】
上記目的は、本発明に係る下記（１）〜（３）のヒュージブルリンクユニットにより達成される。
【００１１】
（１）一対の端子部及び該一対の端子部を電気的に接続すると共に過電流が流れた際には溶断する可溶体を有するヒュージブルリンクをハウジングに収容したヒュージブルリンクユニットであって、前記ハウジングが、前記ヒュージブルリンクを収容するハウジング本体と、該ハウジング本体に回動自在に一体に取り付けられて、前記ヒュージブルリンクを挿入される該ハウジング本体の開口を閉塞するカバーと、を有し、前記カバーが、閉じられた際に、前記ヒュージブルリンクに当接し、該ヒュージブルリンクを前記ハウジング本体内の所定位置に保持することを特徴とするヒュージブルリンクユニット。
（２）前記カバーが、閉じられた際に、前記端子部を支持する支持部と、前記端子部を押圧する弾性片と、を有していることを特徴とする上記（１）に記載されたヒュージブルリンクユニット。
（３）前記支持部が、該支持部を支点として回動可能に前記端子部を支持しており、前記弾性片が、前記可溶体が溶断して二分された前記ヒュージブルリンクの分割体をそれぞれ前記支持部を支点として回動せしめ、前記可溶体の溶断点の間隔が拡がるように押圧することを特徴とする上記（２）に記載されたヒュージブルリンクユニット。
【００１２】
上記（１）の構成のヒュージブルリンクユニットによれば、カバーを回動自在にハウジング本体に一体に取り付けていることで部品点数を削減できる。また、カバーを閉じることでヒュージブルリンクが保持されることから、ヒュージブルリンクをハウジング本体に挿入する際にはヒュージブルリンクに不要な力がかからず、可溶体の溶断特性に悪影響を与えることがない。そして、カバーにヒュージブルリンクの保持構造を持たせることで、ヒュージブルリンクがハウジング本体内の所定位置まで挿入されている場合には、カバーを閉める作業と同時にヒュージブルリンクをハウジング本体内の所定位置に保持することができ、一方、ヒュージブルリンクがハウジング本体内の所定位置まで挿入されていない場合には、カバーが完全には閉まらず、それにより、ヒュージブルリンクがハウジング本体内の所定位置にないことがわかる。そこで、従来のように、端子部の係止ランス及びこれと係合するハウジング本体の係合部を設ける必要がなく、また、係止ランスが係合しているか否かの確認を可能とするための構造を別途設ける必要もないので、ハウジングの小型化が可能となる。
【００１３】
上記（２）の構成のヒュージブルリンクユニットによれば、支持部でヒュージブルリンクの端子部を支持し、さらに、弾性片で端子部を一定方向に押圧することで、がたつきや位置ずれを生じさせることなくヒュージブルリンクを保持することができる。さらに、端子部に接続される相手側端子とのアライメントをフレキシブルに設定することができる。
【００１４】
上記（３）の構成のヒュージブルリンクユニットによれば、支持部を支点として回動可能に端子部を支持し、可溶体が溶断して二分されたヒュージブルリンクの分割体をそれぞれ支持部を支点として回動せしめ可溶体の溶断点の間隔が拡がるように弾性片で押圧することで、可溶体の溶断後の二次短絡を確実に防止することができる。
【発明の効果】
【００１５】
本発明によれば、簡単な構造でヒュージブルリンクをハウジングの所定位置に確実に保持することができると共に、二次短絡を確実に防止することができるヒュージブルリンクユニットを提供することができる。
【発明を実施するための最良の形態】
【００１６】
以下、本発明に係る複数の好適な実施の形態例を図面に基づいて詳細に説明する。
【００１７】
（第１実施形態）
図１は本発明に係るヒュージブルリンクユニットの第１実施形態の分解斜視図、図２は図１に示すヒュージブルリンクユニットのハウジングのカバーを閉じた状態での平面図、図３は図１に示すヒュージブルリンクユニットのハウジングのカバーを閉じた状態での正面図、図４は図３におけるＩ−Ｉ線断面図、図５（ａ）は図１に示すヒュージブルリンクの溶断前の端子の位置を説明する要部平面図、図５（ｂ）は図１に示すヒュージブルリンクの溶断後の端子の位置を説明する要部平面図、図６は図１に示すヒュージブルリンクユニットの変形例の分解斜視図である。
【００１８】
図１に示すように、本実施形態のヒュージブルリンクユニット１０は、ヒュージブルリンク１１と、カバー１３がヒンジ連結されたハウジング本体１２と、を備える。
【００１９】
ヒュージブルリンク１１は、第１雌端子部１４及び第２雌端子部１５と、第１接続部１６及び第２接続部１７と、可溶体１８と、を備えている。
【００２０】
第１雌端子部１４は、四角形の筒形状に形成されており、先端部が電気接続部１９になっていて、基端部が第１接続部１６の基端部に接続されている。電気接続部１９内には不図示の相手側雄端子に面接触するための接触片３９を有する。そして、第１雌端子部１４は、上面の中央部に、四角形の貫通孔である支持孔２０が形成されている。第１接続部１６は、Ｌ字形状に形成されている。
【００２１】
第２雌端子部１５は、第１雌端子部１４と同様に、四角形の筒形状に形成されており、先端部が電気接続部２１になっていて、基端部が第２接続部１７の基端部に接続されている。電気接続部２１内には不図示の相手側雄端子に面接触するための接触片３９を有する。そして、第２雌端子部１５は、上面の中央部に、四角形の貫通孔である支持孔２２が形成されている。
【００２２】
可溶体１８は、第１接続部１６の先端部と第２接続部１７の先端部とに一体的に接続されており、例えばすず合金等の低融点金属であって、大電流の通過によって生ずるジュール熱によって自ら発熱して溶融する。
【００２３】
ハウジング本体１２は、絶縁性の樹脂材料からなり、略直方体の筒形状に形成されており、中央部で切除されたハウジング本体側天板２３に隣接する開口部２４の縁部には、同じく絶縁性の樹脂材料で形成されたカバー１３がヒンジ部２５を介して一体的に連結されている。カバー１３は、ハウジング本体１２と共に一体成形されるために、組立て前の部品点数は１個となり、成形も簡単に行われる。
【００２４】
カバー１３は、断面視Ｌ字形状に形成されており、ヒンジ部２５を中心とする回動により開閉され、開口部２４を開放あるいは閉塞する。カバー１３は、閉じられた後、不図示のロック機構によってハウジング本体１２に係止される。尚、カバー１３を閉じた状態で内部が視認できるよう、ハウジング本体１２およびカバー１３は、透明または半透明の樹脂材料で形成されることが好ましい。
【００２５】
ハウジング本体１２は、ハウジング本体側天板２３の下方で底板２６上に、一対の、第１雌端子収納室２７および第２雌端子収容室２８が形成されている。第１雌端子収納室２７と第２雌端子収容室２８とには、ヒュージブルリンク１１が組み付けられる際に、第１雌端子部１４と第２雌端子１５とが挿入される。
【００２６】
カバー１３には、カバー側天板２９の裏面に、第１支持部３０及び第２支持部３１と、弾性片３２と、が形成されている。
【００２７】
第１支持部３０は、第１雌端子部１４の支持孔２０の外形よりもわずかに小さい相似形状の四角形形状の角部を欠いた八角形をなす突起として形成されており、第１雌端子収容室２７の延長線上で弾性片３２よりもヒンジ部２５に近い位置に配置されている。
【００２８】
第２支持部３１は、第１支持部３０と同様にして、第２雌端子部１５の支持孔２２の外形よりもわずかに小さい相似形状の四角形形状の角部を欠いた八角形をなす突起として形成されており、第２雌端子収容室２８の延長線上で弾性片３２よりもヒンジ部２５に近い位置に配置されている。
【００２９】
弾性片３２は、Ｔ字形状に形成されており、基部３３から側方に向けて湾曲形状に突出された一対の押圧部３４，３５を備えている。弾性片３２は、第１雌端子収容室２７の延長線上と第２雌端子収容室２８の延長線上との間であって第１支持部３０および第２支持部３１よりもヒンジ部２５から離れた位置に配置されている。
【００３０】
図２、図３、図４に示すように、ハウジング本体１２の第１雌端子収容室２７と第２雌端子収容室２８とには、底板２６上に位置決め段部３７がそれぞれ形成されており、第１雌端子部１４と第２雌端子部１５とには、第１雌端子収容室２７と第２雌端子収容室２８とに挿入されていった際に、位置決め段部３７に当接する突部３８がそれぞれ形成されている。
【００３１】
ハウジング本体１２の第１雌端子収納室２７と第２雌端子収容室２８は、ヒュージブルリンク１１の第１雌端子部１４と第２雌端子部１５との幅寸法よりもわずかに大きい幅寸法を有し、そして、第１雌端子部１４と第２雌端子部１５とは、突部３８が位置決め段部３７にそれぞれ当接するだけで位置決めされるために、ヒュージブルリンク１１に不要な力がかかることはない。
【００３２】
カバー１３が閉じられると、ハウジング本体１２の開口部２４が閉塞され、カバー１３の第１支持部３０と第２支持部３１とが、第１雌端子部１４の支持孔２０と第２雌端子部１５の支持孔２２とにそれぞれ挿入される。
【００３３】
このとき、ヒュージブルリンク１１が、突部３８を位置決め段部３７に当接させる所定位置に配置されていないと、カバー１３の第１支持部３０と第２支持部３１とが、第１雌端子部１４の支持孔２０と第２雌端子部１５の支持孔２２とにそれぞれ挿入されずにカバー１３が引っ掛かるので、ヒュージブルリンク１１が所定位置に配置されていないことがわかる。
【００３４】
また、カバー１３の第１支持部３０が第１雌端子部１４の支持孔２０の外形よりも小さく、カバー１３の第２支持部３１が第２雌端子部１５の支持孔２２の外形よりも小さいために、第１雌端子部１４と第２雌端子部１５とは、各支持部３０，３１にわずかな回動を許容されて支持される。
【００３５】
そして、カバー１３が閉じられると、弾性片３２の押圧部３４，３５が、第１雌端子部１４と第２雌端子部１５とのそれぞれの内側の面に当接し、第１支持部３０と第２支持部３１とを支点に、可溶体１８が溶断して二分されたヒュージブルリンク１１の分割体をそれぞれ回動せしめ可溶体１８の溶断点の間隔が拡がるように押圧する。
【００３６】
図５（ａ）に示す状態で第１雌端子部１４又は第２雌端子部１５の一方から他方へ電流が流れており、定格を超える過電流が流れると、図５（ｂ）に示すように、可溶体１８が急激な発熱を起こして溶断する。すると、可溶体１８が溶断して二分されたヒュージブルリンク１１の分割体のうち、第１雌端子部１４を含む分割体は、弾性片３２の押圧部３４に押圧され、第１支持部３０を支点として図中時計回りに、また、第２端子部１５を含む分割体は、弾性片３２の押圧部３５に押圧され、第２支持部３１を支点として図中反時計回りにそれぞれ回動され、可溶体１８の溶断点の間隔が拡げられる。
【００３７】
以上説明したように、本実施形態のヒュージブルリンクユニット１０によれば、カバー１３を回動自在にハウジング本体１２に一体に取り付けていることで、部品点数を削減できる。また、カバー１３を閉じることでヒュージブルリンク１１が保持されることから、ヒュージブルリンク１１をハウジング本体１２に挿入する際にはヒュージブルリンク１１に不要な力がかからず、可溶体１８の溶断特性に悪影響を与えることがない。そして、カバー１３にヒュージブルリンク１１の保持構造を持たせることで、ヒュージブルリンク１１がハウジング本体１２内の所定位置まで挿入されている場合には、カバー１３を閉める作業と同時にヒュージブルリンク１１をハウジング本体１２内の所定位置に保持することができ、一方、ヒュージブルリンク１１がハウジング本体１２内の所定位置まで挿入されていない場合には、カバー１３が完全には閉まらず、それにより、ヒュージブルリンク１１がハウジング本体１２内の所定位置にないことがわかる。そこで、従来のように、端子部の係止ランス及びこれと係合するハウジング本体の係合部を設ける必要がなく、また、係止ランスが係合しているか否かの確認を可能とするための構造を別途設ける必要もないので、ハウジングの小型化が可能となる。
【００３８】
また、本実施形態のヒュージブルリンクユニット１０によれば、支持部３０，３１でヒュージブルリンク１１の端子部１４，１５を支持し、さらに、弾性片３２で端子部１４，１５を一定方向に押圧することで、がたつきや位置ずれを生じさせることなくヒュージブルリンク１１を保持することができる。さらに、端子部１４，１５に接続される相手側端子とのアライメントをフレキシブルに設定することができる。
【００３９】
また、本実施形態のヒュージブルリンクユニット１０によれば、支持部３０，３１を支点として回動可能に端子部１４，１５を支持し、可溶体１８が溶断して二分されたヒュージブルリンク１１の分割体をそれぞれ支持部３０，３１を支点として回動せしめ可溶体１８の溶断点の間隔が拡がるように弾性片３２で押圧することで、可溶体１８の溶断後の二次短絡を確実に防止することができる。
【００４０】
尚、上述したヒュージブルリンク１０の変形例として、図６に示すものは、第１雌端子部１４の上面の中央部に円形の貫通孔である支持孔４１が形成されており、第２雌端子部１５の上面の中央部に円形の貫通孔である支持孔４２が形成されている。そして、カバー１３のカバー部側天板２９の裏面に、第１雌端子部１４の支持孔４１の外形よりもわずかに小さい相似形状の円柱形状をなす第１支持部４３が突起状に形成されているとともに、第２雌端子部１５の支持孔４２の外形よりもわずかに小さい相似形状の円柱形状をなす第２支持部４４が突起状に形成されている。なお、支持孔４１，４２は、図示した円形の貫通孔に代えて、長円形形状や楕円形形状に形成されても良く、第１支持部４３及び第２支持部４４とは、図示した円柱形状に代えて、円錐台形状や角柱形状や三角錐形状に形成されても良い。もちろん、それらの場合に、第１支持部及び第２支持部は、支持孔の内形よりもわずかに小さい外形に形成される。
【００４１】
本変形例でも、定格を超える過電流が流れると、可溶体１８が急激な発熱を起こして溶断し、可溶体１８が溶断して二分されたヒュージブルリンク１１の分割体のうち、第１雌端子部１４を含む分割体は、弾性片３２の押圧部３４に押圧され、第１支持部４３を支点として図中時計回りに、また、第２端子部１５を含む分割体は、弾性片３２の押圧部３５に押圧され、第２支持部４４を支点として図中反時計回りにそれぞれ回動され、可溶体１８の溶断点の間隔が拡げられる。
【００４２】
（第２実施形態）
次に、図７を参照して、本発明に係るヒュージブルリンクユニットの第２実施形態について説明する。図７は本発明に係るヒュージブルリンクユニットの第２実施形態の分解斜視図である。尚、以下の各実施形態において、上述した第１実施形態と重複する構成要素や機能的に同様な構成要素等については、図中に同一符号あるいは相当符号を付すことによって説明を簡略化あるいは省略する。
【００４３】
図７に示すように、本発明に係る第２実施形態のヒュージブルリンクユニット５０は、ハウジング本体１２の底板２６上における両雌端子収容室２７，２８に近い位置に、第３支持部５１が突出形成されているとともに、カバー１３の裏面に第３支持部５１に対向配置される第４支持部５２が突出形成され、第１雌端子部１４の中央部の上面及び下面に支持孔５３，５４がそれぞれ形成されているとともに、第２雌端子部１５の中央部の上面及び下面に支持孔５５，５６がそれぞれ形成されている。
【００４４】
第３支持部５１は、第１雌端子収容室２７の延長線上と第２雌端子収容室２８の延長線上との間に側板３６に平行に配置されており、第４支持部５２は、カバー部側天板２９の幅と同一の長さを有してカバー部側天板２９の裏面に側板３６に平行に配置されている。
【００４５】
支持孔５４，５６には、ハウジング本体１２の第１雌端子収納室２７と第２雌端子収容室２８とにヒュージブルリンク１１の第１雌端子部１４と第２雌端子部１５とが挿入された際に、第３支持部５１が挿入される。
【００４６】
支持孔５３，５５には、カバー１３が閉じられた際に、カバー１３の第４支持部５２が挿入される。これにより、２個の雌端子部１４，１５は、ハウジング本体１２の底板２６側からと、カバー１３側からの上下方向から位置決めされる。
【００４７】
ヒュージブルリンク１１は、定格を超える過電流が流れると、可溶体１８が急激な発熱を起こして溶断し、可溶体１８が溶断して二分されたヒュージブルリンク１１の分割体のうち、第１雌端子部１４を含む分割体は、弾性片３２の押圧部３４に押圧され、第３支持部５１および第４支持部５２を支点として図中時計回りに、また、第２端子部１５を含む分割体は、弾性片３２の押圧部３５に押圧され、第３支持部５１および第４支持部５２を支点として図中反時計回りにそれぞれ回動され、可溶体１８の溶断点の間隔が拡げられる。
【００４８】
ヒュージブルリンクのハウジング構造の第２実施形態は、上述した第１実施形態と同様の作用効果を奏するが、特に、雌端子部１４，１５が上下方向から対向して支持されるために、端子保持力を増強させることができる。
【００４９】
（第３実施形態）
次に、図８、図９（ａ），（ｂ）を参照して、本発明に係るヒュージブルリンクユニットの第３実施形態について説明する。図８は本発明に係るヒュージブルリンクユニットの第２実施形態の分解斜視図、図９（ａ）は図８に示すヒュージブルリンクの溶断前の端子の位置を説明する要部平面図、図９（ｂ）は図８に示すヒュージブルリンクの溶断後の端子の位置を説明する要部平面図である。
【００５０】
図８に示すように、本発明に係る第３実施形態のヒュージブルリンクユニット６０は、カバー１３の裏面のヒンジ部２５から離れた位置に、第１雌端子収容室２７に対応した第５支持部６１が突出形成されているとともに、第２雌端子収容室２８に対応した第６支持部６２が突出形成されており、カバー１３の裏面のヒンジ部２５に近い位置にあって第５支持部６１側に第１雌端子用弾性片６３が形成され、カバー１３の裏面のヒンジ部２５に近い位置にあって第６支持部６２側に第２雌端子用弾性片６４が形成されている。
【００５１】
両雌端子用弾性片６３，６４は、ハウジング本体１２の第１雌端子収納室２７と第２雌端子収容室２８とにヒュージブルリンク１１の第１雌端子部１４と第２雌端子部１５とが挿入されてから、カバー１３が閉じられた際に、第１雌端子部１４と第２雌端子部１５とのそれぞれの外側の面に当接する。
【００５２】
図９（ａ）に示す状態で第１雌端子部１４又は第２雌端子部１５の一方から他方へ電流が流れており、定格を超える過電流が流れると、図９（ｂ）に示すように、可溶体１８が急激な発熱を起こして溶断する。すると、可溶体１８が溶断して二分されたヒュージブルリンク１１の分割体のうち、第１雌端子部１４を含む分割体は、弾性片６３に押圧され、第５支持部６１を支点として図中時計回りに、また、第２端子部１５を含む分割体は、弾性片６４に押圧され、第６支持部６２を支点として図中反時計回りにそれぞれ回動され、可溶体１８の溶断点の間隔が拡げられる。
【００５３】
ヒュージブルリンクのハウジング構造の第３実施形態は、上述した第１実施形態と同様の作用効果を奏する。
【００５４】
尚、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【図面の簡単な説明】
【００５５】
【図１】本発明に係るヒュージブルリンクユニットの第１実施形態の分解斜視図である。
【図２】図１に示すヒュージブルリンクユニットのハウジングのカバーを閉じた状態での平面図である。
【図３】図１に示すヒュージブルリンクユニットのハウジングのカバーを閉じた状態での正面図である。
【図４】図３におけるＩ−Ｉ線断面図である。
【図５】（ａ）は図１に示すヒュージブルリンクの溶断前の端子の位置を説明する要部平面図、ｂ）は図１に示すヒュージブルリンクの溶断後の端子の位置を説明する要部平面図である。
【図６】図１に示すヒュージブルリンクユニットの変形例の分解斜視図である。
【図７】本発明に係るヒュージブルリンクユニットの第２実施形態の分解斜視図である。
【図８】本発明に係るヒュージブルリンクユニットの第２実施形態の分解斜視図である。
【図９】（ａ）は図８に示すヒュージブルリンクの溶断前の端子の位置を説明する要部平面図、ｂ）は図８に示すヒュージブルリンクの溶断後の端子の位置を説明する要部平面図である。
【図１０】従来のヒュージブルリンクユニットの分解斜視図である。
【符号の説明】
【００５６】
１０，５０，６０    ヒュージブルリンクユニット
１１                ヒュージブルリンク
１２                ハウジング本体
１３                カバー
１４                第１雌端子部（端子部）
１５                第２雌端子部（端子部）
１８                可溶体
２０，２２          支持孔
３０，４３          第１支持部（支持部）
３１，４４          第２支持部（支持部）
３２                弾性片
４１，４２          支持孔
５１                第３支持部（支持部）
５２                第４支持部（支持部）
５３，５４          支持孔
５５，５６          支持孔
６１                第５支持部（支持部）
６２                第６支持部（支持部）
６３                第１雌端子用弾性片（弾性片）
６４                第２雌端子用弾性片（弾性片）
【図１】
2008066183.tif 000003
【図２】
2008066183.tif 000004
【図３】
2008066183.tif 000005
【図４】
2008066183.tif 000006
【図５】
2008066183.tif 000007
【図６】
2008066183.tif 000008
【図７】
2008066183.tif 000009
【図８】
2008066183.tif 000010
【図９】
2008066183.tif 000011
【図１０】
2008066183.tif 000012